(57)【特許請求の範囲】
【請求項１】
貯水タンクに接合されて水平方向または水平方向に対してわずかな傾斜角度で下降傾斜して延びて、製氷機を構成する冷却ドラムの起立状内周面である製氷面の上方の部位に対向して開口し、前記貯水タンク内に貯留する製氷用水を前記製氷面の上方の部位に散水する給水パイプであり、当該給水パイプは、水平方向または水平方向に対してわずかな傾斜角度で下降傾斜するパイプ本体の前記製氷面に対向する側の先端部の外周に環状の突起部を備えていることを特徴とする給水パイプ。
【請求項２】
貯水タンクに接合されて水平方向または水平方向に対してわずかな傾斜角度で下降傾斜して延びて、製氷機を構成する冷却ドラムの起立状内周面である製氷面の上方の部位に対向して開口し、前記貯水タンク内に貯留する製氷用水を前記製氷面の上方の部位に散水する給水パイプであり、当該給水パイプは、水平方向または水平方向に対してわずかな傾斜角度で下降傾斜するパイプ本体である基管部と、同基管部に対して下降傾斜して前記製氷面に対向する先端部とからなることを特徴とする給水パイプ。
【請求項３】
請求項１または２に記載の給水パイプにおいて、当該給水パイプは、前記パイプ本体の前記製氷面に対向する側とは反対側の後端部の外周に環状の突起部を備え、同後端側が前記貯水タンクに対する接合部になっていることを特徴とする給水パイプ。
【発明の詳細な説明】
【０００１】
【発明の属する技術分野】
本発明は給水パイプに関する。
【０００２】
【従来の技術】
給水パイプの一形式として、貯水タンクに接合されて水平方向または水平方向に対してわずかな傾斜角度で下降傾斜して延びて、製氷機を構成する冷却ドラムの起立状内周面である製氷面の上方の部位に対向して開口し、前記貯水タンク内に貯留する製氷用水を前記製氷面の上方の部位に散水する給水パイプがある。
【０００３】
当該形式の給水パイプは、例えば、特開平１０−２０５９４０号公報に示されているように、冷却媒体にて冷却されるドラムの内周面に製氷用水を供給する製氷機の散水タンク（貯水タンク）に接合されて製氷機の散水パイプ（給水パイプを構成するもので、製氷機の運転中には、散水タンクに供給される製氷用水を冷却ドラムの内周面に散水し、製氷機の運転停止にともなう製氷用水の散水タンクへの供給停止によって、冷却ドラムの内周面への製氷用水の散水を停止すべく機能する。
【０００４】
【発明が解決しようとする課題】
ところで、当該散水パイプにおいては、散水タンクへの給水が停止されて散水タンクの製氷用水の水量が漸次少なくなって散水パイプの先端開口部から吐出する水量が漸次低下して漏水状態になると、散水パイプの先端開口部から漏水する水が散水パイプの外周を伝ってその後側へ流れ、所謂、後タレの現象が発生する。このような後タレ現象が発生すると、散水パイプの外周を伝ってその後側へ流れた水は、不要な部位へ落下することになり、また、水の落下部位が水を避けなければならない部位、例えば、製氷機にあっては貯氷庫内である場合には、貯留する氷の品質低下を生じさせる。
【０００５】
このため、当該散水パイプを使用する製氷機では、水の落下部位を予測して当該部位に予め水受け板等を設け、落下する水を同水受け板を介して装置の外へ排出する手段が採られることが多い。
【０００６】
しかしながら、後タレ現象が発生した場合の水が散水パイプの外周を伝って後方へ流れる距離は、散水パイプの管径、傾斜角度や、散水タンクの容量、給水量、漏洩水量等により変動し、これらの条件に起因して必ずしも一定ではなく、水の落下部位が上記した水受け板の有効範囲を越えることがあり、また、このような場合まで想定した場合には設置すべき水受け板が大型化して、装置の他の構成部材との関係で不具合が発生するおそれがある。
【０００７】
従って、本発明の目的は、当該形式の散水パイプ等給水パイプにおいて、散水等給水停止時に先端開口部から漏洩する水の後タレ現象の発生を極力防止し、または、漏洩する水の給水パイプの外周を伝って後方へ流れる距離を所定の範囲内に留めるようにすることにある。
【０００８】
【課題を解決するための手段】
本発明は給水パイプに関し、特に、貯水タンクに接合されて水平方向または水平方向に対してわずかな傾斜角度で下降傾斜して延びて、製氷機を構成する冷却ドラムの起立状内周面である製氷面の上方の部位に対向して開口し、前記貯水タンク内に貯留する製氷用水を前記製氷面の上方の部位に散水する給水パイプに関する。
【０００９】
しかして、本発明に係る第１の給水パイプは、水平方向または水平方向に対してわずかな傾斜角度で下降傾斜するパイプ本体の先端部の外周に環状の突起部を備えているものであり、第２の給水パイプは水平方向または水平方向に対してわずかな傾斜角度で下降傾斜するパイプ本体である基管部と、同基管部に対して下降傾斜して前記製氷面に対向する先端部とからなるものであり、第３の給水パイプは前記パイプ本体の前記製氷面に対向する側とは反対側の後端部の外周に環状の突起部を備え、同後端側が前記貯水タンクに対する接合部になっているものである。
【００１０】
【発明の作用・効果】
本発明に係る第１の給水パイプにおいては、パイプ本体の先端部の外周に位置する環状の突起部が先端開口部から外周を伝って後側へ流れる水のそれ以上の流れを阻止し、水が給水パイプのパイプ本体の外周を伝って後側へ流れる距離を所定の範囲内に留める。また、本発明に係る第２の給水パイプにおいては、パイプ本体の先端開口部が大きく下降傾斜しているため、先端開口部から漏洩する水は先端開口部の下降傾斜方向に導かれて落下し、後タレ現象の発生が防止されまたは大きく抑制される。
【００１１】
このため、これらの給水パイプによれば、給水停止後の先端開口部から漏洩する水は所定の部位、または、所定の範囲内へ落下することになり、予め当該部位に水受け板等の水排出手段を設けておけば、給水パイプの先端開口部から漏洩する水に起因する問題を解消することができる。
【００１２】
なお、本発明に係る第３の給水パイプにあっては、その後端部の外周に位置する環状の突起部が給水パイプを貯水タンクに接合する際の位置決め手段として利用することができ、給水パイプの後端部を貯水タンクの側壁に溶接して接合する場合等に有効である。
【００１４】
【発明の実施の形態】
以下、本発明を図面に基づいて説明する。図１および図２は、本発明に係る給水パイプを散水パイプとして採用した製氷機を示している。当該製氷機はドラム式製氷機であって、本出願人の先願である特開平１０−２０５９４０号公報にて提案している製氷機とは、採用している散水パイプを除き、実質的に同一の構成となっている。当該製氷機Ａは貯氷庫Ｂ上に設置されているもので、貯氷庫Ｂは製氷機Ａにて生成されて落下するフレーク状の氷を貯留するようになっている。
【００１５】
当該製氷機Ａは、冷却部１０、製氷剥離部２０、散水部３０、駆動部４０、および給水部５０を備えている。
【００１６】
冷却部１０は、互いに同心的に位置する内外両筒体１１ａ，１１ｂからなる冷却ドラム１１を、円筒状のケース１２のケース本体１２ａ内に断熱材１３を介在させて収納して形成されているもので、貯氷庫Ｂの上面に配設されている。冷却ドラム１１においては、両筒体１１ａ，１１ｂ間が冷却媒体が流通する環状通路１１ｃに形成されていて、環状通路１１ｃを流通する冷却媒体により、内側筒体１１ａの内周面であるドラム内周面１１ｄが冷却される。
【００１７】
製氷剥離部２０は、回転軸２１に取付板２２を介して剥離刃２３を取付けて形成されているもので、回転軸２１は冷却ドラム１１内に同心的に位置して、その上端部がケース１２の上蓋１２ｂを貫通した状態で同上蓋１２ｂに回転可能に軸支され、かつ、その下端部がケース１２の下方のステー１２ｃの中央部に受承されて同ステー１２ｃに回転可能に軸支されている。取付板２２は、回転軸２１の外周に固着されている軸方向に所定長さの板であって、その先端縁部に剥離刃２３が取付けられている。剥離刃２３は、冷却ドラム１１のドラム内周面１１ｄと略同じ高さの板状のもので、その先端縁は鋸歯状を呈していて冷却ドラム１１のドラム内周面１１ｄに近接している。
【００１８】
製氷剥離部２０を構成する回転軸２１の下端部には、落下水を外部へ導出する手段である水受け板２４が設けられている。水受け板２４は、図２および図３に示すように、上方から下方に拡開して傾斜する半円形の環状の傾斜板であり、ケース１２の底部開口部１２ｄの傾斜内周面に沿って、所定間隔を保持して位置している。水受け板２４は、落下水をケース１２の排水溝１２ｅに導出して、後述する給水タンク５１に還流させる。
【００１９】
散水部３０は、図２〜図４に示すように、皿状の散水タンク３１の外周に複数本の散水パイプ３２を接合してなるもので、散水タンク３１を回転軸２１の上端部側に同心的に嵌合して回転軸２１の外周に固定することにより形成されていて、各散水パイプ３２の先端開口部が冷却ドラム１１のドラム内周面１１ｄに近接している。各散水パイプ３２は、図３に示すように、散水タンク３１の外周に略半円周にわたって配置されていて、各散水パイプ３１の先端開口部が回転軸２１の下端部に設けた水受け板２４の上方に位置している。
【００２０】
当該散水部３０においては、散水タンク３１が回転軸２１と一体に回転し、また、各散水パイプ３２がその先端開口部を冷却ドラム１１のドラム内周面１１ｄに対向させた状態で、ドラム内周面１１ｄに沿って周方向に回転する。この場合、水受け板２４は回転軸２１と一体に回転し、常に各散水パイプ３２の先端開口部の下方に位置する。当該散水部３０には、散水パイプ３２として、後述する本発明に係る給水パイプが採用されている。なお、符号３３は、散水パイプ３２とは異なる散水パイプを示している。
【００２１】
駆動部４０は、製氷剥離部２０および散水部３０の駆動（作動）を制御するもので、ギヤードモータ４１およびインバータ４２を備え、ギヤードモータ４１はインバータ４２を介して電源４３に接続されている。ギヤードモータ４１は、カップリング４４を介して回転軸２１に連結していて、インバータ４２により回転速度を制御されて回転軸２１および剥離刃２３、散水タンク３１および各散水パイプ３２を回転駆動させる。なお、駆動部４０においては、インバータ４２は不可欠のものではない。
【００２２】
給水部５０は、給水タンク５１、給水タンク５１と散水タンク３１に接続された給水管５２、および、給水管５２に介装された給水ポンプ５３を備え、給水ポンプ５３の駆動により給水タンク５１内の製氷用水を給水管５２を通して散水タンク３１に供給すべく機能する。
【００２３】
当該製氷機Ａの製氷運転に当たっては、図示しない冷凍システムを起動して冷却媒体を冷却ドラム１１の環状通路１１ｃに循環供給し、給水ポンプ５３を駆動して給水タンク５１内の製氷用水を散水タンク３１内に供給し、かつ、ギヤードモータ４１を駆動して回転軸２１、これと一体の剥離刃２３、散水タンク３１、および各散水パイプ３２を回転させる。これにより、冷却ドラム１１のドラム内周面１１ｄが冷却されるとともに、回転する散水タンク３１の各散水パイプ３２の先端開口部を通して、散水タンク３１内の製氷用水がドラム内周面１１ｄの全面に散水される。
【００２４】
ドラム内周面１１ｄの全面に散水された製氷用水は、ドラム内周面１１ｄを流下する間に冷却されて氷結してドラム内周面１１ｄに付着する。氷結して付着した氷は、回転する剥離刃２３の先端部に掻き取られてドラム内周面１１ｄから離脱する。離脱した氷はフレーク状の氷として、ケース１２の底部開口部１２ｄを通って貯氷庫Ｂ内に落下して貯氷される。この間、ドラム内周面１１ｄの表面で氷結されない製氷用水は、水受け板２４上に落下してケース１２の排水溝１２ｅの導出され、排水溝１２ｅを通って給水タンク５１内に還流する。
【００２５】
当該製氷機Ａの製氷運転中、上記した状態が継続され、散水タンク３１内に給水タンク５１内の製氷用水が常に供給され、各散水パイプ３２からは散水タンク３１内に貯留する製氷用水の水量に応じて製氷用水がドラム内周面１１ｄに散水される。
【００２６】
当該製氷機Ａの製氷運転の停止に当たっては、給水ポンプ５３およびギヤードモータ４１の駆動を停止し、かつ、冷凍システムの駆動を停止する。当該製氷機Ａの製氷運転の停止直後には、散水タンク３１内の製氷用水の水量が漸次低減して、各散水パイプ３２から吐出される製氷用水も漸次低減し、最後には漏洩する程度となる。各散水パイプ３２から吐出されてドラム内周面１１ｄに達した製氷用水は、ドラム内周面１１ｄで氷結することなく流下して、水受け板２４に受けられてケース１２の排水溝１２ｅに導出され、排水溝１２ｅを通って給水タンク５１内に還流される。
【００２７】
また、各散水パイプ３２から吐出されてもドラム内周面１１ｄに達しない製氷用水（漏洩する製氷用水）は、各散水パイプ３２の先端開口部から直接流下して、水受け板２４にて受けられてケース１２の排水溝１２ｅに導出され、排水溝１２ｅを通って給水タンク５１内に還流される。
【００２８】
しかして、当該製氷機Ａの散水部３０に採用されている各散水パイプ３２は、図５に示すように、パイプ本体３２ａの先端開口部３２ｂが円錐形状に拡開したフレア形状に形成されているもので、散水タンク３１に対して水平方向に対して下降傾斜角度（θ）を約５度に保持して接合されている。従って、当該散水パイプ３２においては、その先端開口部３２ｂの下側内周面がパイプ本体３２ａに比較して大きく下降傾斜していて、先端開口部３２ｂから漏洩して流出する製氷用水は、先端開口部３２ｂの下降傾斜方向に導かれて落下し、漏洩する製氷用水がパイプ本体の外周を伝って後側へ流れる後タレ現象の発生が防止される。
【００２９】
このため、当該散水パイプ３２によれば、散水停止後の先端開口部３２ｂから漏洩する製氷用水は所定の部位に確実に落下することになり、予め当該部位に水受け板２４を配設しておけば、散水パイプ３２の先端開口部３２ｂから漏洩する製氷用水は水受け板２４上に確実に落下して、ケース１２の底部開口部１２ｄを通して貯氷庫Ｂ内に落下して、貯氷されているフレーク状氷に悪影響を及ぼすようなことはない。
【００３０】
本発明に係る給水パイプは、散水パイプにおける後タレ現象の発生を的確に防止することができるものであり、図６には、当該給水パイプとして、３例の散水パイプ３２Ａ，３２Ｂ，３２Ｃが示されている。同図（ａ）に示されている散水パイプ３２Ａは、パイプ本体３２ａの先端部の外周に環状の突起部３２ｃを備えているものである。従って、当該散水パイプ３２Ａにおいては、突起部３２ｃが先端開口部から外周を伝って後側へ流れる水のそれ以上の流れを阻止し、製氷用水が散水パイプ３２Ａの外周を伝って後側へ流れる距離を所定の範囲内に留める。このため、当該散水パイプ３２Ａによれば、散水停止後の先端開口部から漏洩する製氷用水は所定の範囲内へ落下することになり、予め当該部位に水受け板２４を配置しておけば、散水パイプ３２Ａの先端開口部から漏洩する製氷用水に起因する上記した問題を解消することができる。
【００３１】
図６（ｂ）に示されるいる散水パイプ３２Ｂは、水平方向に対して所定の傾斜角度で下降傾斜する基管部３２ｄと、基管部３２ｄに対して下降傾斜する先端部３２ｅとからなるものである。従って、当該散水パイプ３２Ｂにおいては、その先端開口部の下側内周面が大きく下降傾斜していて、先端開口部から漏洩する製氷用水は、先端開口部における下側内周面の下降傾斜方向に導かれて落下し、散水パイプ３２と同様に、漏洩する製氷用水がパイプの外周を伝って後側へ流れる後タレ現象の発生が防止される。
【００３２】
図６（ｃ）に示されている散水パイプ３２Ｃは、パイプ本体３２ａの先端部と後端部とにそれぞれ環状の突起部３２ｃ，３２ｆを備えているもので、先端側の突起部３２ｃが、先端開口部から外周を伝って後側へ流れる水のそれ以上の流れを阻止すべく機能し、かつ、後端側の突起部３２ｆが散水パイプ３２Ｃを散水タンク３１に接合する際の位置決め手段として機能する。このため、当該散水パイプ３２Ｃにおいては、特に、その後端部を散水タンク３１の側壁に溶接等の手段で接合する場合に有利である。
【図面の簡単な説明】
【図１】本発明に係る給水パイプを散水パイプとして採用するドラム式製氷機の側面図である。
【図２】同製氷機の縦断正面図である。
【図３】同製氷機を構成する散水部の平面図である。
【図４】同散水部の縦断正面図である。
【図５】同散水部を構成する散水パイプの一部縦断側面図である。
【図６】本発明に係る給水パイプである第１の散水パイプを示す側面図（ａ）、同第２の散水パイプを示す縦断側面図（ｂ）、および、同第３の散水パイプを示す側面図（ｃ）である。
【符号の説明】
Ａ…製氷機、Ｂ…貯氷庫、１０…冷却部、１１…冷却ドラム、１１ａ，１１ｂ…筒体、１１ｃ…環状通路、１１ｄ…ドラム内周面、１２…ケース、１２ａ…ケース本体、１２ｂ…上蓋、１２ｃ…ステー、１２ｄ…底部開口部、１２ｅ…排水溝、１３…断熱材、２０…製氷剥離部、２１…回転軸、２２…取付板、２３…剥離刃、２４…水受け板、３０…散水部、３１…散水タンク、３２，３２Ａ，３２Ｂ，３２Ｃ…散水パイプ、３２ａ…パイプ本体、３２ｂ…先端開口部、３２ｃ，３２ｆ…突起部、３２ｄ…基管部、３３…オーバフローパイプ、４０…駆動部、４１…ギヤードモータ、４２…インバータ、４３…電源、４４…カップリング、５０…給水部、５１…給水タンク、５２…給水管、５３…給水ポンプ。
【図１】
0003828708.tif 000002
【図２】
0003828708.tif 000003
【図３】
0003828708.tif 000004
【図４】
0003828708.tif 000005
【図５】
0003828708.tif 000006
【図６】
0003828708.tif 000007